(57)【要約】【目的】  スライド写真の様な一般的とは言えない媒体や、デジタル映像の投影のように装置が大きくなったり、高価になるものを使用するよりも、小型で手に持って手軽に投影できて、既に印刷された人気キャラクターや自作の絵が映写できた方が日常的に使用しやすい。また、像や図柄が描かれた媒体が簡単に取り替えられることも必要である。更には懐中電灯としての機能の低下にならぬよう、照明として使う時は暗くならないように媒体を光路上から外すことができた方がよい。このような携帯型照明装置を提案することを目的とする。【構成】  光源と、前記光源の照射光を受ける位置に脱着可能に配置された透明基材に形成された図柄と、前記図柄に対して光軸方向に移動可能なレンズと、前記透明基材を格納する格納手段を備えたことを第１の要旨とする携帯照明装置である。また、図柄が形成された透明基材を保持するために、透明基材と保持部に嵌合形状が形成されたことを第２の要旨とする携帯照明装置である。【選択図】        図１
2007012435.tif 000002
【特許請求の範囲】
【請求項１】
光源と、前記光源の照射光を受ける位置に脱着可能に配置された透明基材に形成された図柄と、前記図柄に対して光軸方向に移動可能なレンズと、前記透明基材を格納する格納手段を備えたことを特徴とする携帯照明装置。
【請求項２】
図柄が形成された透明基材を保持するために、透明基材と保持部に嵌合形状が形成されたことを特徴とする請求項１の携帯照明装置。
【請求項３】
図柄が形成された透明基材を保持するために、保持部に透明基材を挟持するめの手段が形成されたことを特徴とする請求項１の携帯照明装置。
【請求項４】
図柄が形成された透明基材を複数保持して、あるいは透明基材の表裏に図柄を形成し、レンズの位置を変えることで投影する図柄を選択可能であることを特徴とする請求項１乃至請求項３記載の携帯照明装置。
【請求項５】
前記、移動可能なレンズは、交換可能であることを特徴とする請求項１乃至請求項４記載の携帯照明装置。
【発明の詳細な説明】
【技術分野】
【０００１】
本発明は、携帯型の照明装置に関する。
【背景技術】
【０００２】
携帯に便利な電灯、いわゆる懐中電灯は一時的な照明として個人に普及している。停電に備えるだけでなく夜間のちょっとした明かり取りやレジャーに欠かせない器具となっている。一方で無ければ不便な器具ではあるが常に必要である訳ではないので、懐中電灯の用途を広げるために映写機能を付加する提案、あるいは逆に映写機などの光学機器に懐中電灯機能を付加しようという提案がなされている。例えば懐中電灯に３５ｍｍスライドの映写機能を付加する提案がなされている。
【０００３】
【特許文献１】特開２００３−３１５９０８号。
【発明の開示】
【発明が解決しようとする課題】
【０００４】
しかしながら、例えば幼児を喜ばせるために就寝前に寝室の天井に像を写して楽しませるといった映写機能を玩具として用いる場合、スライド写真の様な一般的とは言えない媒体や、デジタル映像の投影のように装置が大きくなったり、高価になるものを使用するよりも、小型で手に持って手軽に投影できて、既に印刷された人気キャラクターや自作の絵が映写できた方が日常的に使用しやすい。また、像や図柄が描かれた媒体が簡単に取り替えられることも必要である。更には懐中電灯としての機能の低下にならぬよう、照明として使う時は暗くならないように媒体を光路上から外すことができた方がよい。
また、図柄の紛失や損傷を防止するための格納手段があることも求められる。
【課題を解決するための手段】
【０００５】
本発明は従来の問題に鑑みなされたもので、光源と、前記光源の照射光を受ける位置に脱着可能に配置された透明基材に形成された図柄と、前記図柄に対して光軸方向に移動可能なレンズと、前記透明基材を格納する格納手段を備えたことを第１の要旨とする携帯照明装置である。また、図柄が形成された透明基材を保持するために、透明基材と保持部に嵌合形状が形成されたことを第２の要旨とする携帯照明装置である。また、図柄が形成された透明基材を保持するために、保持部に透明基材を挟持するめの手段が形成されたこと第３の要旨とする携帯照明装置である。また、図柄が形成された透明基材を複数保持して、レンズの位置を変えることで投影する図柄が選択可能であることを第４の要旨とする携帯照明装置である。更に、レンズが交換可能であることを第５の要旨とする携帯照明装置である。
【発明の効果】
【０００６】
本発明によれば、光源と、前記光源の照射光を受ける位置に脱着可能に配置された透明基材に形成された図柄や文字と、前記図柄や文字に対して光軸方向に移動可能なレンズにより図柄の投影が可能であり、照明具として使用する時には、図柄や文字が描かれた透明基材を取り外すことにより光量を損失することなく使用できる。また図柄が描かれた透明基材を、格納部に収納することで紛失や像の損傷を防できる。更には図柄を重ねて投影したり、レンズの操作により配置した複数の図柄の内一つを選択して投影したり、レンズの変更により像の光学的効果を変更することもできる。
【発明を実施するための最良の形態】
【０００７】
光源と、この光源の照射光を受ける位置に脱着可能に配置された透明基材に形成された図柄と、この図柄に対して光軸方向に移動可能なレンズと、前記透明基材を格納する格納手段を備えた携帯照明装置である。
【実施例１】
【０００８】
以下、本発明の詳細について添付図１、２を参照して説明する。図１は、本実施例の携帯照明装置の断面図である。参照符号１ａ、１ｂはレンズである。レンズ１ａ、１ｂはレンズ固定リング２の螺合によりレンズ筒３に固定されている。レンズ筒３は中間筒４に摺動可能に挿入されている。レンズ筒３にはストッパ５が固着されている。レンズ筒３には開口部３ａがあって、レンズ筒３が中間筒４から外れないようになっており、且つレンズ筒３の摺動範囲を規定している。電源筒６には電池７が収納されている。電源筒６を中間筒４に螺合することで、電池７と接続電極９は光源であるＬＥＤ基板８に接続され、ＬＥＤ基板８は電源筒６と中間筒４に挟み込まれ固定される。尾栓１３は、電源筒６に螺合されることで電池７及び接続電極９を固定する。尾栓１３の中心部にあけられた穴に電極ばね１４を挿入し、スイッチ基板１１及びスライドスイッチ１２を設置して、基材フォルダー１０を尾栓１３に圧入する。接続電極９によりＬＥＤ基板８とスイッチ基板１１は接続される。電極ばね１４によりスイッチ基板１１と電池７は接続される。スライドスイッチ１２をスライドするとスイッチ基板１１上のスイッチ回路が閉じてＬＥＤ基板８上のＬＥＤが点灯する。中間筒４には溝４ａがあって、溝４ａには透明基材１５が挿入嵌合される。透明基材１５には印刷や使用者（図示せず）の手による描画、あるいは切り貼りなどの手段により図柄が形成されている。図柄や文字が形成された透明基材１５を溝４ａに挿入し、ＬＥＤを点灯すると、レンズ１ａ、１ｂを介して拡大された像が投影対象面（図示せず）に投影される。投影対象面までの距離に応じてレンズ筒３を摺動することでピントの調整ができる。ピントの調整は、最大、レンズ筒３に設けられている開口部３ａの幅分レンズ筒３を摺動することにより調整が行われるものである。透明基材１５を溝４ａから外した時や、複数の透明基材１５を保管したい時は、基材フォルダー１０に設けた溝１０ａ、１０ｂに挿入嵌合しておけばよい。
【０００９】
次に透明基材１５の溝４ａ、及び１０ａ、１０ｂへの透明基材１５の取付方法について、図２を用いて説明する。図２は中間筒の溝４ａの断面図である。中間筒４には、透明基材１５を挿入可能な幅に合わせた溝が設けられている。筒状部材である中間筒４にあけられた溝は、上側の溝４ｂと下側の溝４ｃに分けられる。下側の溝４ｃは上側の溝４ｂよりも少し幅が小さい。中間筒４の内面にはリブ４ｄ、４ｅが設けられていて、このリブ４ｄ、４ｅの先端は丸みをおびている。一方、透明基材１５の下側の幅は前記下側溝４ｃの幅に合わせて狭くなっている。さらに端面中央部には突起１５ａが形成してある。中間筒４のリブ４ｄと４ｅの先端間距離よりも、透明基材１５の突起１５ａの頂点から他端までの距離の方が長くなっている。このような形状の透明基材１５を中間筒４の溝４ａに挿入すると、リブ４ｄと突起１５ａが接触する。更に透明基材１５を押し込むと突起１５ａがリブ４ｄを乗り越えて、透明基材１５の下端が中間筒の下側溝４ｃの底面に突き当たり止まる。透明基材１５は突起１５ａにより、逆さまにするなどしても透明基材１５の自重で簡単に外れてしまことはない。透明基材１５を引き抜けば突起１５ａはリブ４ｄを再び乗り越え外すことができる。透明基材１５に紐を付けておけば引き抜きやすい。実施例では中間筒４にリブ４ｄを設けたが、リブの役割を上側の溝４ｂにおわせても良い。すなわち溝４ａを透明基材１５に設けた突起が乗り越えて固定するものである。また透明基材１５の突起１５ａ近くに切り欠きを設けるなどして突起１５ａに弾性を持たせればリブ４ｄとの摩耗に強くなる。尚、透明基材１５の製作に関しては、印刷により図柄を形成することを考えると、例えば０．５mmのポリカーボネートやペット、薄いアクリル板に多数の面付けをして印刷した後、プレ金型などを用いて所定の形状に抜いた方が安価に製作できる。
【００１０】
次に複数の図柄を選択的に投影する方法を説明する。少し厚めの透明基材１５の表裏に別々の図柄を形成するか、あるいは中間筒４に複数の溝を設けて複数の透明基材１５を装着する。レンズ１を摺動移動するとレンズ１から透明基材１５までの距離（物点距離）が変化する。所望の位置の図柄を選択し、投影対象面までの距離（像点距離）を適正にすれば、所望の図柄を投影対象面に投影できる。
【００１１】
レンズの交換について説明する。ストッパ５を外すとレンズ１ａ、１ｂを取り外すことが出来る。所望の効果が得られるレンズを取り付け、ストッパ５を付ければレンズの交換ができる。
【図面の簡単な説明】
【００１２】
【図１】実施例の説明図
【図２】実施例の説明図
【符号の説明】
【００１３】
１      レンズ
１ａ    レンズ
１ｂ    レンズ
２      レンズ固定リング
３      レンズ筒
３ａ    レンズ筒の開口部
４      中間筒
４ａ    中間筒の溝
４ｂ    上側の溝
４ｃ    下側の溝
４ｄ    リブ
４ｅ    リブ
５      ストッパ
６      電源筒
７      電池
８      ＬＥＤ基板８
９      接続電極
１０    基材フォルダー
１１    スイッチ基板１１
１２    スライドスイッチ１２
１３    尾栓
１４    電極ばね
１５    透明基材
１５ａ  突起
【図１】
2007012435.tif 000003
【図２】
2007012435.tif 000004